(57)【要約】【課題】長尺のシャフト２と、このシャフト２の上端部にＴ字状に取り付けられるグリップ３と、により構成されるウォーキングステッキ１において、グリップ３の握り心地がよく、長時間使用しても手の平が痛くなることのないウォーキングステッキを提供する。【解決手段】ウォーキングステッキ１におけるグリップ３の表面に、柔軟性を有する材料によりなるソフトパッド５を着脱自在に装着する。ここでソフトパッド５は、グリップ本体３ａに被せるように装着されるものとする。またソフトパッド５は、グリップ本体３ａの一部または全面に貼り付けて装着されるものとしてもよい。【選択図】図２
2007130162.tif 000002
【特許請求の範囲】
【請求項１】
長尺のシャフトと、このシャフトの上端部にＴ字状に取り付けられるグリップと、により構成されるウォーキングステッキにおいて、
上記グリップの表面に、柔軟性を有する材料によりなるソフトパッドを装着したことを特徴とするウォーキングステッキ。
【請求項２】
請求項１に記載のウォーキングステッキにおいて、
上記ソフトパッドは、着脱可能であることを特徴とするウォーキングステッキ。
【請求項３】
請求項１または２に記載のウォーキングステッキにおいて、
上記ソフトパッドは、上記グリップの本体に被せるように装着されることを特徴とするウォーキングステッキ。
【請求項４】
請求項１または２に記載のウォーキングステッキにおいて、
上記ソフトパッドは、上記グリップの本体の一部または全面に貼り付けて装着されることを特徴とするウォーキングステッキ。
【発明の詳細な説明】
【技術分野】
【０００１】
本発明は歩行補助用のウォーキングステッキに関し、特にグリップの握り心地を改善したものである。
【背景技術】
【０００２】
一般に歩行補助用のウォーキングステッキは、例えば下記の特許文献１に開示されるもののように、シャフトと、このシャフトの上端部に取り付けられるグリップと、により構成されている。ここでシャフトは任意の長さに伸縮調整可能な軽金属材やカーボン材等によりなるパイプで構成され、このシャフトの上端部にグリップがＴ字状に取り付けられており、使用者はこのグリップを手で握り、シャフトの先端で地面を突きながら歩行するものである。
このようなウォーキングステッキは、トレッキング用に広く普及されているが、近年では老人や障害者のための介護用ステッキとしても広く用いられてきている。
【特許文献１】特開２００５−１２４９８２号公報
【発明の開示】
【発明が解決しようとする課題】
【０００３】
しかしながら、このような従来のウォーキングステッキは、グリップがプラスチックや木材などの硬質材で形成されているため、グリップを手で握ったときの握り心地が良好とは言えず、長時間使用していると手の平が痛くなってしまうことがある。
【０００４】
本発明は斯かる点に鑑みてなされたもので、グリップの握り心地のよいウォーキングステッキを提供することを目的とする。
【課題を解決するための手段】
【０００５】
上記の目的を達成するため本発明は、
長尺のシャフトと、このシャフトの上端部にＴ字状に取り付けられるグリップと、により構成されるウォーキングステッキにおいて、
グリップの表面に、柔軟性を有する材料によりなるソフトパッドを装着してなるものである。
このウォーキングステッキにおいてソフトパッドは、これを着脱可能に構成してもよい。ここでソフトパッドは、これをグリップ本体に被せるようにして装着するものとする。またソフトパッドは、グリップ本体の一部または全面に貼り付けて装着するものとしてもよい。
【発明の効果】
【０００６】
上記の如く構成される本発明のウォーキングステッキは、グリップの表面にソフトパッドを装着したことにより、グリップを手で握ったときの感触が柔らかく、握り心地が良好となるので、長時間使用しても手の平が痛くなることはない。またソフトパッドを装着したグリップは柔らかく握り易いので、これを安定して握ることができる。
さらにこのウォーキングステッキにおいて、ソフトパッドを着脱可能とした構成では、ソフトパッドの種類を変更することにより、使用者の好みに応じて握り心地を換えることが可能となる。
【発明を実施するための最良の形態】
【０００７】
以下、図面を参照しながら本発明の実施例について詳細に説明する。
図１に示す如く、本発明によるウォーキングステッキ１は、シャフト２と、このシャフト２の上端部に取り付けられるグリップ３と、により構成されている。ここでシャフト２は７５〜９０ｃｍの長尺の軽金属材やカーボン材等によりなるパイプで構成され、このシャフト２の上端部にグリップ３がＴ字状に取り付けられており、使用者はこのグリップ３を手で握り、シャフト２の先端で地面を突きながら歩行するものである。
【０００８】
この構成においてシャフト２は複数段で構成されて伸縮調整可能となっており、またシャフト２の先端(下端)にはゴム等によりなる滑り止め部材４が取り付けられている。またシャフト２は、その上端部２ａ即ちグリップ３の直下の部分が細い径に形成されている。このシャフト２の上端部２ａは、グリップ３を手で握ったときに指と指の間を通る部分であり、この部分を細い径に形成したことで、グリップ３を違和感なく握ることができるようになっている。
【０００９】
そして本発明によるウォーキングステッキ１では、このクリップ３の握り心地をさらに良好とするため、グリップ３の表面に、柔軟性を有する材料によりなるソフトパッド５を装着してある。
【００１０】
その部分の詳細な構成を図２示す。ここでソフトパッド５は円筒状に形成されており、これをシャフト２に連結されるグリップ本体(芯材)３ａに被せるように装着してある。図３に示すように、ソフトパッド５には、シャフト２の上端部２ａが通る孔６と、この孔６に一端側から切り込まれた切れ目７とが形成されており、この切れ目７から孔６にシャフト２の上端部２ａを通すようにソフトパッド５をグリップ本体３ａの軸方向(図２の矢印ａ方向)から被せて装着する。装着後は、図４に示す如く、切れ目７を両面接着テープ等の接着手段８によって接着する。
【００１１】
図５は本発明の第２の実施例を示す。ここでソフトパッド５は断片的なシート状に形成されており、これをグリップ本体３ａの上部の一部分に両面接着テープ等の接着手段によって貼り付けてある。またソフトパッド５は、これをグリップ本体３ａの全面に貼り付けるようにしてもよい。
【００１２】
上記の如きソフトパッドは、従来品のウォーキングステッキのグリップに後付けで簡単に装着することができ、また簡単に取り外すことができるものである。このソフトパッドの材料としては、例えばゴム、スポンジ、ゲルシート、コルクなどを好適に使用することができる。
【００１３】
そして、上記の如く構成される本発明によるウォーキングステッキ１は、グリップ３の表面にソフトパッド５を装着したことにより、グリップ３を手で握ったときの感触が柔らかく、握り心地が良好となるので、長時間使用しても手の平が痛くなることはない。またソフトパッド５を装着したグリップ３は柔らかく握り易いので、これを安定して握ることができる。
さらにこのウォーキングステッキ１は、ソフトパッド５が着脱可能であるため、ソフトパッド５の種類(ゴム、スポンジ、ゲルシート、コルクなど)を変更することにより、使用者の好みに応じて握り心地を換えることが可能となる。
【００１４】
以上、本発明の実施例について説明したが、本発明はこれらの実施例に限ることなく、他にも種々の実施形態を採り得るものであることは言うまでもない。
【図面の簡単な説明】
【００１５】
【図１】本発明の実施例を示すウォーキングステッキの全体図である。
【図２】ウォーキングステッキの主要部の斜視図である。
【図３】ソフトパッドの下方から見た斜視図である。
【図４】ソフトパッドの側面図である。
【図５】本発明の第２の実施例を示すウォーキングステッキの主要部の斜視図である。
【符号の説明】
【００１６】
１…ウォーキングステッキ、２…シャフト、３…グリップ、３ａ…グリップ本体、５…ソフトパッド
【図１】
2007130162.tif 000003
【図２】
2007130162.tif 000004
【図３】
2007130162.tif 000005
【図４】
2007130162.tif 000006
【図５】
2007130162.tif 000007